(57)【要約】【課題】  バックライトランプの周波数設定が温度などの環境の影響を受けないようにして、バックライト装置が組み込まれる表示装置におけるフリッカの発生を防止する。【解決手段】  基準発振器２２で発生したシステムクロックＳＣＬＫをクロック発生回路２１ａで分周して内部クロックＩＣＬＫを得、この内部クロックＩＣＬＫをＰＷＭ基本周期発生回路２１ｃでメモリ部２８に格納された基本分周比で分周して基本周期クロックＢＣＬＫを得る。パルス発生回路２１ｃでは、さらに基本周期クロックＢＣＬＫに基づいてＰＷＭ周期を決定するとともに、メモリ部２８に設定されたデューティ比に基づいてパルス幅を決定することにより、ＰＷＭ信号を発生する。クロック発生回路２１ａ、ＰＷＭ基本周期発生回路２１ｃおよびパルス発生回路２１ｃによるＰＷＭ信号を発生する部分は、ＡＳＩＣなどに集積化されていることにより、温度などの影響を受けない。【選択図】  図１
2005116399.tif 000002
【特許請求の範囲】
【請求項１】
ランプを点灯駆動するＰＷＭ制御によるインバータにＰＷＭ信号を与えるバックライトランプ点灯制御装置において、
指定された基本周波数を有する基本クロックを発生する基本クロック発生回路と、
指定されたデューティ比で定まるパルス幅と前記基本周波数に基づいたＰＷＭ周波数とを有する前記ＰＷＭ信号を発生するＰＷＭ信号発生回路とを備え、
前記基本周波数発生回路および前記ＰＷＭ信号発生回路が集積化されていることを特徴とするバックライトランプ点灯制御装置。
【請求項２】
前記ＰＷＭ信号発生回路は、デューティ比に応じた前記基本クロックのクロック数の幅を有するようにＰＷＭ信号を発生することを特徴とする請求項１に記載のバックライトランプ点灯制御装置。
【請求項３】
前記ランプの光を照射する表示パネルの駆動周波数の変化に応じて前記基本周波数情報を変更する変更手段を備えていることを特徴とする請求項１に記載のバックライトランプ点灯制御装置。
【請求項４】
前記ランプの点灯周波数を検出する周波数検出手段と、
前記点灯周波数に応じて前記基本周波数情報を変更する変更手段とを備えていることを特徴とする請求項１に記載のバックライトランプ点灯制御装置。
【請求項５】
表示パネルと、
該表示パネルに光を照射するバックライト装置を備えた表示装置において、
前記バックライト装置は、請求項１ないし４のいずれか１項に記載のバックライトランプ点灯制御装置を含んでいることを特徴とする表示装置。
【発明の詳細な説明】
【技術分野】
【０００１】
本発明は、液晶表示ディスプレイなどに用いられるＰＷＭ（Pulse Width Modulation）方式のバックライトランプ点灯制御装置に関するものである。
【背景技術】
【０００２】
近年の表示装置においては、小型化や薄型化を容易に図れることから、表示デバイスとして平板型ディスプレイを備えることが広く普及している。このような平板型ディスプレイとしては、多色表示を容易に実現できるＬＣＤ（液晶ディスプレイ）が多く用いられる。透過型のＬＣＤは、通常、表示面の輝度を確保するためにバックライト装置を備えている。また、反射型ＬＣＤおよび透過型ＬＣＤの機能を兼ね備えた半透過型ＬＣＤも、透過モード用の光源としてバックライト装置を備えている。
【０００３】
バックライト装置用の光源としては、一般に冷陰極管（ＣＦＬ）などの蛍光ランプが用いられる。また、主なバックライト方式としては、例えば、液晶パネルの背面から直接ランプの光を照射する直下型や、導光板を用いて液晶パネルの側方に配されたランプの光を液晶パネルの全体に広げて照射するサイドライト型が挙げられる。特に、サイドライト型は、ランプからの出射光を面的に液晶パネルに照射する面光源として機能することにより、液晶パネルに均一に光を照射することができ、また、薄型化やランプの交換が容易であるため、ＬＣＤによく用いられている。
【０００４】
バックライト装置においては、蛍光ランプの輝度調整（調光）などを目的として、インバータによる点灯制御が行われている。特に、ＰＷＭインバータは、一定周期で印加されるパルス電圧のパルス幅を制御することにより蛍光ランプの放電時間を調整することから調光が容易であり、一般照明用の蛍光灯の調光制御にも用いられている。ＰＷＭインバータによるバックライトランプの点灯制御については、特許文献１に記載されている。
【０００５】
上記のようなＰＷＭインバータを用いたバックライト装置は、例えば、図２に示すように構成されている。このバックライト装置は、デューティ信号発生部３１と、ＰＷＭ信号発生部３２と、周波数調整部３３と、インバータ部３４と、ＣＦＬ３５とを備えている。
【０００６】
デューティ信号発生部３１は、必要数設けられた各調光レベルに応じたデータ信号ＤＡＴＡ１〜ＤＡＴＡｎ（ｎは自然数）により１つのフォトカプラ３１ａをＯＮさせ、そのときフォトカプラ３１ａが出力する電流を抵抗３１ｂにより変換した電圧に基づいてＰＷＭ信号発生部３２に与える調光レベルを決定する。ＰＷＭ信号発生部３２は、周波数調整部３３で設定された発振周波数および入力された調光レベルに応じたデューティ比に基づいたＰＷＭ信号を生成し、市販のＩＣにより形成されている。
【０００７】
インバータ部３４においては、入力されたＰＷＭ信号によりスイッチング回路３４ａで発生した高周波電圧をトランス３４ｂで昇圧してＣＦＬ２５に与えている。スイッチング回路３４ａは、外部から与えられる点灯・消灯信号ＯＮ／ＯＦＦによって出力をＯＮまたはＯＦＦする。周波数調整部３３は、ＰＷＭ信号発生部３２に外付けされた外部ＣＲ発振回路３３ａからなり、そのコンデンサの容量値と抵抗の抵抗値とによって発振周波数を決定する。
【特許文献１】特願２００２−１０７６９２号公報（２００２年４月１０日公開）
【発明の開示】
【発明が解決しようとする課題】
【０００８】
しかしながら、上記従来の構成では、調光を多様に行なおうとするとデータ信号ＤＡＴＡをそれに応じて設ける必要があり、そのためにフォトカプラ３１ａおよび抵抗３１ｂがデータ信号ＤＡＴＡと同数必要になる。しかしながら、このように構成すれば、回路素子が増加することにより回路規模の増大を招来してしまう。したがって、装置の小型化を図るためにはデューティ比の設定数を制限せざるを得ず、このためにＣＦＬ３５の輝度を多様に調整することが困難になる。
【０００９】
また、周波数調整部３３では、ＰＷＭ周波数と液晶パネルの駆動周波数との干渉によるフリッカが生じないように、製造段階で発振周波数を調整する。ところが、バックライト装置が組み込まれた製品が出荷後におかれる周囲環境（特に温度）によっては、ＣＲ発振回路３３ａがその影響を受ける虞がある。このため、発振周波数が設定値からずれてしまい、フリッカが発生することがあった。
【００１０】
本発明は、上記の問題点に鑑みてなされたものであり、その目的は、バックライトランプの周波数設定が温度などの環境の影響を受けないようにして、バックライト装置が組み込まれる表示装置におけるフリッカの発生を防止することにある。
【課題を解決するための手段】
【００１１】
本発明のバックライト点灯制御装置は、ランプを点灯駆動するＰＷＭ制御によるインバータにＰＷＭ信号を与えるバックライトランプ点灯制御装置において、上記の課題を解決するために、指定された基本周波数を有する基本クロックを発生する基本クロック発生回路と、指定されたデューティ比で定まるパルス幅と前記基本周波数に基づいたＰＷＭ周波数とを有する前記ＰＷＭ信号を発生するＰＷＭ信号発生回路とを備え、前記基本周波数発生回路および前記ＰＷＭ信号発生回路が集積化されていることを特徴としている。
【００１２】
前記ＰＷＭ信号発生回路は、デューティ比に応じた前記基本クロックのクロック数の幅を有するようにＰＷＭ信号を発生することが好ましい。
【００１３】
また、前記点灯制御装置は、前記ランプの光を照射する表示パネルの駆動周波数の変化に応じて前記基本周波数情報を変更する変更手段を備えていることが好ましい。
【００１４】
また、前記点灯制御装置は、前記ランプの点灯周波数を検出する周波数検出手段と、前記点灯周波数に応じて前記基本周波数情報を変更する変更手段とを備えていることが好ましい。
【００１５】
本発明の表示装置は、表示パネルと、該表示パネルに光を照射するバックライト装置を備えた表示装置において、前記バックライト装置は、前記バックライトランプ点灯制御装置のいずれかを含んでいることを特徴としている。
【発明の効果】
【００１６】
本発明のバックライト点灯制御装置は、以上のように、基本クロック発生回路と、ＰＷＭ信号発生回路とを備え、これらが集積化されることにより、ＩＣ内でＰＷＭ信号を発生させるので、周波数やデューティ比を設定するための回路素子を必要とせず、周波数やデューティ比のデータを多数用意しても回路規模が増大することがない。それゆえ、周波数やデューティ比を多様に設定することができる。また、ＰＷＭ信号の周波数およびデューティ比を設定する部分が集積化されるので、温度などの周囲の環境を影響を受けにくくなり、安定して周波数やデューティ比を設定することができる。したがって、本バックライト点灯制御装置は、過酷な環境に設置されることの多いプログラマブル表示器に好適に用いることができる。
【００１７】
このバックライト点灯制御装置において、前記ＰＷＭ信号発生回路が、デューティ比に応じた前記基本クロックのクロック数の幅を有するようにＰＷＭ信号を発生することにより、デジタル回路によりＰＷＭ信号発生回路を構成することができる。例えば、基本クロックをＮ個カウントするカウンタ、およびそのカウント値とデューティ比α×Ｎの値とを比較するデジタルコンパレータにより、デジタルコンパレータがα×Ｎの値に対するカウント値の大小関係に応じて２値を出力するようにすれば、クロックＮ個分のＰＷＭ周期を有し、α×Ｎで定まるパルス幅を有するＰＷＭ信号を発生することができる。それゆえ、ＡＳＩＣ（Application Specific Integrated Circuit ）などのデジタルＩＣに容易にＰＷＭ信号発生回路を造り込むことができる。
【００１８】
また、前記バックライト点灯制御装置において、前記ランプの光を照射する表示パネルの駆動周波数の変化に応じて前記基本周波数情報を変更手段により変更することで、表示装置の解像度などに応じてランプが光を照射する表示パネルの駆動周波数が変更されても、それに応じて基本周波数情報が変更される。したがって、表示パネルの駆動周波数に対して適正なＰＷＭ周波数が設定されるので、フリッカの発生を回避することができる。
【００１９】
また、前記点灯制御装置は、前記ランプの点灯周波数を周波数検出手段で検出し、その点灯周波数に応じて変更手段により前記基本周波数情報を変更することにより、ランプが設定されたＰＷＭ周波数どおりに点灯しないときに、点灯周波数をほぼ所望どおりに調整することができる。したがって、ランプが初期の設定どおりに点灯しない状態を回避することができ、フリッカの発生を防止することができる。
【００２０】
本発明の表示装置は、表示パネルに光を照射するバックライト装置に前記バックライトランプ点灯制御装置のいずれかを含んでいることにより、フリッカの生じにくい高品位の表示を行うことができる。
【発明を実施するための最良の形態】
【００２１】
本発明の一実施形態について図１に基づいて説明すると、以下の通りである。
【００２２】
本実施の形態に係る表示装置は、図１に示すように、液晶パネル１と、バックライト装置２とを備えている。液晶パネル１は、液晶を駆動するための電極が形成された一対の透明基板が液晶を挟持するように貼り合わされて形成されるパネル本体部（図示せず）を有している。このパネル本体部には、液晶を駆動するための各種の信号を発生する駆動ＩＣが取り付けられている。バックライト装置２は、液晶パネル１の後背面から光を照射する照明装置であって、液晶パネル１と組み合わされて液晶モジュールを構成している。
【００２３】
バックライト装置２は、周波数制御部２１と、基準発振器２２と、インバータ制御部２３と、トランス２４と、ＣＦＬ（冷陰極管）２５と、点灯パルス検出器２６と、ＣＰＵ２７と、メモリ部２８とを備えている。
【００２４】
周波数制御部２１は、インバータ制御部２３に与えるＰＷＭ信号を発生する回路であり、集積化されており、例えばＡＳＩＣにより構成されている。基準発振器２２は、周波数制御部２１がＰＷＭ信号を生成するための基準になるシステムクロックＳＣＬＫを発生する発振器であり、高精度な水晶発振器などにより構成されている。
【００２５】
インバータ制御部２３は、トランス２４に印加する電圧をスイッチングするスイッチング素子と、周波数制御部２１からのＰＷＭ信号に基づいてスイッチング素子を制御する回路とを含んでおり、集積化されてＩＣとして装置内に設けられている。このインバータ制御部２３は、ＣＰＵ２７からの点灯・消灯信号ＯＮ／ＯＦＦのＯＮレベル（“Ｈ”）により動作し、同信号のＯＦＦレベル（“Ｌ”）により停止する。トランス２４は、上記のスイッチング素子によるスイッチングで得られた高周波電圧を昇圧するために設けられている。本バックライト装置２においては、インバータ制御部２３およびトランス２４によりＣＦＬ２５を点灯駆動するインバータが構成されている。
【００２６】
バックライト用のランプとしてのＣＦＬ２５は、図示しないバックライトユニットの一部品として設けられている。このバックライトユニットは、ＣＦＬ２５の他に、導光板、反射板および拡散板を含んでいる。導光板は、透明なアクリルなどからなる板状の部材であり、ＣＦＬ２５からの出射光を面状に液晶パネル１に照射する面光源として機能している。この導光板は、背面側（液晶パネル１の反対側）の面に、反射板が貼り付けられている一方、前面側（液晶パネル１）の面に、拡散板が貼り付けられている。導光板は、反射板が貼り付けられることで、背面側に出射される光を逃がすことなく液晶パネル１側に照射して、面光源としての効率を高めている。また、導光板は、拡散板が貼り付けられることで、液晶パネル１への照射光を拡散させて、液晶パネル１の輝度むらを低下させている。
【００２７】
なお、バックライトユニットは、集光効率を良くするためのプリズムシート（図示せず）を、必要に応じて拡散板と液晶パネル１との間に設けていてもよい。
【００２８】
点灯パルス検出器２６は、ＣＦＬ２５の点灯周波数を検出する検出器である。この点灯パルス検出器２６は、例えば、トランス２４からＣＦＬ２５に高周波交流電圧が印加されることによりＣＦＬ２５に流れるパルス電流を検出する電流検出器を有し、検出したパルス電流を抵抗などによりパルス電圧に変換して出力する。
【００２９】
ＣＰＵ２７は、表示装置の全体の動作を制御するための制御装置であり、液晶パネル１およびバックライト装置２に対しては、駆動周波数の監視および制御の役割を担っている。例えば、ＣＰＵ２７は、後述するように、周波数制御部２１におけるパルス発生回路２１ｃにパルス発生動作をするための指示を与えたり、フレームレート周波数発生回路２１ｄが液晶パネル１に駆動周波数信号として与えるＦＲＭ（フレームレート周波数）信号を発生するための基準となるフレームレート基準クロックＦＣＬＫをフレームレート周波数発生回路２１ｄに与えたりする。また、変更手段としてのＣＰＵ２７は、後述する周波数カウンタ２１ｅで計測された点灯周波数に基づいて、フレームレート周波数発生回路２１ｄにフレームレート周波数の変更の指示を与えるとともに、パルス発生回路２１ｃに基本周期の変更の指示を与えるように、メモリ部２８からデータを読み出させる。
【００３０】
メモリ部２８は、液晶パネル１およびバックライト装置２の駆動周波数の制御のための各種のデータを格納している。例えば、メモリ部２８は、周波数制御部２１におけるＰＷＭ基本周期発生回路２１ｂに与えるための基本分周比のデータを格納し、同じく周波数制御部２１におけるパルス発生回路２１ｃに与えるためのデューティ比のデータを格納している。デューティ比のデータは、ユーザが指定できる各調光レベルに応じた対応テーブルとして、メモリ部２８に設定される。また、メモリ部２８には、周波数テーブルが設定されている。この周波数テーブルは、フレームレート周波数発生回路２１ｄに与えるための複数の分周比のデータと、これらの分周比にそれぞれ対応する基本分周比のデータとをセットとして格納するために設けられている。周波数テーブルに設定される分周比のデータは、表示装置の解像度に応じたフレームレート周波数に対応している。
【００３１】
ここで、周波数制御部２１について詳細に説明する。
【００３２】
この周波数制御部２１は、クロック発生回路２１ａと、ＰＷＭ基本周期発生回路２１ｂと、パルス発生回路２１ｃと、フレームレート周波数発生回路２１ｄと、周波数カウンタ２１ｅとを含んでいる。
【００３３】
クロック発生回路２１ａは、基準発振器２２から出力されるシステムクロックＳＣＬＫを所定の分周比で分周して周波数Ｆを有する内部クロックＩＣＬＫを発生する分周回路である。このクロック発生回路２１ａは、分周比が固定される場合は回路に設定された分周比で分周する分周回路からなり、複数の異なる内部クロックＩＣＬＫを生成するために分周比を変更する必要がある場合は、プログラマブル分周器からなる。プログラマブル分周器には、その分周比がメモリ部２８から分周比データとして与えられる。
【００３４】
基本クロック発生回路としてのＰＷＭ基本周期発生回路２１ｂは、メモリ部２８から与えられた（指定された）基本周波数に応じた基本分周比ｎのデータに基づいて上記の内部クロックＩＣＬＫを分周して基本周期（基本周波数ｆ（＝Ｆ／ｎ））を有する基本周期クロックＢＣＬＫ（基本クロック）を出力する分周回路である。
【００３５】
ＰＷＭ信号発生回路としてのパルス発生回路２１ｃは、ＰＷＭ基本周期発生回路２１ｂから出力される基本周期クロックＢＣＬＫとメモリ部２８から供給されるデューティ比αのデータとに基づいてＰＷＭ信号を発生する回路である。具体的には、パルス発生回路２１ｃは、基本周期クロックＢＣＬＫのＮ（Ｎは自然数）クロック分の周期をＰＷＭ周期Ｔ（変調周期）とし（周波数はｆ／Ｎ）、デューティ比αのデータに応じてα×Ｎ個のクロックを“Ｈ”レベルにし、後に続く（１−α）×Ｎ個のクロックを“Ｌ”レベルとすることでＰＷＭ信号のパルス幅（パルス持続時間）ｔを決定している。このため、パルス発生回路２１ｃは、図示はしないが、ＰＷＭ周期およびデューティ比α（＝ｔ／Ｔ）を決定するためのカウンタおよびマグニチュードコンパレータとを備えている。カウンタは基本周期クロックＢＣＬＫをＮ個カウントし、マグニチュードコンパレータは、比較値に対する基準値の大小を判定するデジタルコンパレータである。
【００３６】
この構成では、マグニチュードコンパレータにα×Ｎのデータ（データＡ）を基準値として入力しておく一方、カウンタによる基本周期クロックＢＣＬＫのカウントを、ＣＰＵ２７により指示されたタイミングで開始させ、比較値としてのカウンタのカウント値（データＢ）と上記のデータＡとをマグニチュードコンパレータに比較させる。マグニチュードコンパレータは、データＡ，Ｂの比較により、Ａ＞Ｂの期間で“Ｈ”レベルを出力し、Ａ＜Ｂの期間で“Ｌ”レベルを出力する。したがって、マグニチュードコンパレータは、カウンタが基本周期クロックＢＣＬＫのＮ個クロックのカウントを繰り返して行うことにより、ＰＷＭ周期を有し、入力されたデューティ比αに応じた、基本周期クロックＢＣＬＫのα×Ｎ個分のクロックの幅を有するパルスを出力する。
【００３７】
このように、パルス発生回路２１ｃをデジタル回路により構成することにより、周波数制御部２１をＡＳＩＣなどに容易に造り込むことができる。
【００３８】
フレームレート周波数発生回路２１ｄは、ＣＰＵ２７から供給されるフレームレート基準クロックＦＣＬＫに基づいて液晶パネル１に与えるＦＲＭ信号を出力する回路である。このフレームレート周波数発生回路２１ｄは、ＦＲＭ信号を発生するために、メモリ部２８から与えられた分周比のデータによってフレームレート基準クロックＦＣＬＫを分周するプログラマブル分周回路を含んでいる。
【００３９】
周波数カウンタ２１ｅは、点灯パルス検出器２６によって検出されたＣＦＬ２５の点灯周波数を計測する回路である。この周波数カウンタ２１ｅは、点灯パルス検出器２６から出力されるパルス電圧を所定時間内でカウントするカウンタを備えることにより、カウントしたデータを周波数データとしてＣＰＵ２７に送出する。
【００４０】
続いて、上記のように構成される表示装置における周波数調整およびデューティ比調整について説明する。
【００４１】
表示装置の製造段階においては、フリッカが生じないように、液晶パネル１に与えるフレームレート周波数とインバータ制御部２３に与えるＰＷＭ周波数とが設定される。このとき、表示装置において、プログラムによってフレームレート周期とＰＷＭ周期とを適当に変更しながら、フリッカが生じない幾つかの周期の組み合わせを決定する。このとき決定された周波数の組み合わせを、周波数テーブルとしてメモリ部２８に設定しておく。また、このとき決定されたＰＷＭ周期に対応する基本分周比をメモリ部２８に格納しておく。さらに、このような各種の周期のデータを周波数調整のためのプログラムに反映させておく。
【００４２】
表示装置が製品として出荷された後は、ユーザによって液晶パネル１の輝度が調整されるのに伴ってＣＦＬ２５の調光制御が行われる。ユーザから輝度の変更が指示されると、ＣＰＵ２７は、その指示を受けて、指定された輝度に応じたアドレスをメモリ部２８に与えて、その輝度に対応するデューティ比のデータをメモリ部２８から読み出させる。
【００４３】
パルス発生回路２１ｃは、基本周期発生回路２１ｂで発生した基本周期クロックＢＣＬＫとデューティ比のデータとに基づいてＰＷＭ信号を発生するが、メモリ部２８からの新たなデューティ比のデータによってＰＷＭ信号のパルス幅を変更する。これによって、インバータ制御部２３およびトランジスタ２４によってＣＦＬ２５に印加される高周波電圧の印加時間が変更され、ＣＦＬ２５の光量が変わる。
【００４４】
本表示装置においては、基本周期（基本周波数ｆ／Ｎ）の変更も可能にしている。近年のパーソナルコンピュータ用ディスプレイなどには、解像度の切り替え可能なディスプレイがあるが、このようなディスプレイでは、解像度に応じてフレームレート周波数も切り替えられる。本表示装置では、そのようなディスプレイへの適用を可能とするため、ユーザにより解像度の切り替えが指示されると、ＣＰＵ２７は、その指示を受けて、切り替えられた解像度に基づくアドレスをメモリ部２８に与えることにより、解像度に応じた分周比のデータをメモリ部２８の周波数テーブルから読み出させる。フレームレート周波数発生回路２１ｄは、メモリ部２８から新たに与えられた分周比のデータに基づいてフレームレート基準クロックＦＣＬＫを分周することにより、解像度に応じたフレームレート周波数のＦＲＭ信号を出力する。この結果、液晶パネル１は新たに設定された解像度に応じて駆動される。
【００４５】
解像度に応じた分周比のデータが周波数テーブルから読み出されるとき、併せて、その分周比のデータに対応する基本分周比のデータも周波数テーブルから読み出される。パルス発生回路２１ｃは、このデータが与えられることにより分周比を変えて、ＰＷＭ周期を解像度に応じて変更する。
【００４６】
これにより、インバータ制御部２３は、ＣＦＬ２５への電圧印加時間を制御して、ＣＦＬ２５を解像度に応じたＰＷＭ周波数で点灯させる。このように、解像度に応じてフレームレート周波数が変更されても、予めフリッカが生じないようにそのフレームレート周波数と組み合わされたＰＷＭ周波数が設定される。
【００４７】
ＣＦＬ２５が、表示装置のおかれた環境によって、設定されたＰＷＭ周期に応じた印加電圧どおりに点灯しない場合、本表示装置は、ＣＦＬ２５の点灯周波数を監視しながら、ＰＷＭ周期を自動調整する。このとき、点灯パルス検出器２６は、ＣＦＬ２５に流れるパルス電流を検出してパルス電圧として出力する。周波数制御部２１では、周波数カウンタ２１ｅによって、そのパルス電圧の所定時間内のパルス数がカウントされる。このカウントの結果得られたカウントデータ（周波数データ）がＣＰＵ２７に与えられると、ＣＰＵ２７は、そのデータに基づくＰＷＭ周期と現在設定されているＰＷＭ周期との差を演算し、現在設定されているＰＷＭ周期にその差を加えたＰＷＭ周期に最も近いＰＷＭ周期に対応する基本分周比をメモリ部２８から読み出させる。
【００４８】
これにより、パルス発生回路２１ｃにおいて、ＰＷＭ周波数が実際のＣＦＬ２５の点灯周波数とのずれがなくなるように新たに設定されるので、初期の設定どおりにＣＦＬ２５を点灯制御することができる。したがって、ＣＦＬ２５の点灯不良によるフリッカの発生を防止することができる。
【００４９】
以上に述べたように、本実施例の表示装置において、バックライト装置２における周波数制御部２１は、集積化されているので、周囲の環境（特に温度）の影響を受けにくくなる。これにより、例えば、室温と大きく異なる高温や低温の環境に表示装置がおかれても、周波数制御部２１は周波数やデューティ比を安定して設定することができる。この結果、環境の変化によるフリッカの発生を回避することができる。また、ＩＣ内でＰＷＭ信号を発生させることにより、周波数やデューティ比を設定するための回路素子を必要とせず、周波数やデューティ比のデータを多数用意しても回路規模が増大することがないので、周波数やデューティ比を多様に設定することができる。したがって、本表示装置は、過酷な環境に設置されることの多いプログラマブル表示器に好適に用いることができる。
【００５０】
また、本表示装置は、解像度に応じて液晶パネル１のフレームレート周波数が変更されても、それに応じてメモリ部２８から基本分周比のデータを読み出して、ＰＷＭ周期を変更する。これにより、解像度の変更によっても表示画面にフリッカを生じることなくＣＦＬ２５を点灯させることができる。
【００５１】
さらに、本表示装置は、ＣＦＬ２５が設定されたＰＷＭ周波数どおりに点灯しなくても、ＣＦＬ２５の点灯周波数を設定したＰＷＭ周波数に近づけるように、ＰＷＭ周波数を制御する。これにより、ＣＦＬ２５の点灯に変調が生じても、ＰＷＭ周波数の調整により表示画面にフリッカを生じさせることなくＣＦＬ２５を点灯させることができる。
【産業上の利用可能性】
【００５２】
本発明のバックライトランプ点灯制御装置は、ＰＷＭ信号の周期・周波数を決定する部分を集積化することにより、温度などの周囲環境の影響を受けることなく安定して周期・周波数を制御することができるので、液晶表示装置などのバックライト装置に適用できる。
【図面の簡単な説明】
【００５３】
【図１】本発明の実施形態に係る表示装置の構成を示すブロック図である。
【図２】従来のバックライト装置の構成を示すブロック図である。
【符号の説明】
【００５４】
１      液晶パネル（表示パネル）
２      バックライト装置
２１      周波数制御部
２１ａ    クロック発生回路
２１ｂ    ＰＷＭ基本周期発生回路（基本クロック発生回路）
２１ｃ    パルス発生回路（ＰＷＭ信号発生回路）
２１ｄ    フレームレート周波数発生回路
２１ｅ    周波数カウンタ（周波数検出手段）
２２      基準発振器
２３      インバータ制御部（インバータ）
２５      ＣＦＬ（ランプ）
２６      点灯パルス検出器（周波数検出手段）
２７      ＣＰＵ（変更手段）
２８      メモリ部
ＢＣＬＫ  基本周期クロック（基本クロック）
【図１】
2005116399.tif 000003
【図２】
2005116399.tif 000004